(57)【要約】  従来のハロゲンランプと光学フィルターに比べて、光の波長帯域を狭め、所望の波長帯域のスループットを高め、さらに異なる波長帯域の光を照射可能とする。本美顔育毛器は、単色ＬＥＤ光源、単色レーザーダイオード光源又はレーザー光源から出射された単色光であって、半値幅が１０ｎｍ以下の超狭帯域の単色の光源手段と拡散手段を組み合わせたものである。具体的には、ＬＥＤ光源を用いる場合は、光源から出射された各光の波長帯域を絞るバンドバスフィルターと、概フィルターを透過した半値幅が１０ｎｍ以下の超狭帯域の光を拡散する拡散レンズとから構成される。
2008084764.tif 000002
【特許請求の範囲】
【請求項１】
半値幅が１０ｎｍ 以下の超狭帯域の単色光を出射し得る光源手段と、前記光源手段から出射された超狭帯域の単色光を拡散させ照射面積を増大させ得る拡散手段を備えたことを特徴とする美顔育毛器。
【請求項２】
請求項１の美顔育毛器において、前記単色光のピーク波長を可変とし得るピーク波長可変手段を更に備えたことを特徴とする美顔育毛器。
【請求項３】
請求項２の美顔育毛器において、前記ピーク波長可変手段は、前記単色光のピーク波長を赤色ないし橙色の波長領域で可変とし得ることを特徴とする美顔育毛器。
【請求項４】
請求項２の美顔育毛器において、前記ピーク波長可変手段は、前記単色光のピーク波長を緑色の波長領域で可変とし得ることを特徴とする美顔育毛器。
【請求項５】
請求項２の美顔育毛器において、前記ピーク波長可変手段は、前記単色光のピーク波長を青色の波長領域で可変とし得ることを特徴とする美顔育毛器。
【請求項６】
請求項１の美顔育毛器において、前記光源手段は異なるピーク波長を有する複数の単色発光ダイオード光源と、前記単色発光ダイオード光源から出射された各々の光の波長帯域を半値幅が１０ｎｍ 以下に絞るバンドバスフィルターとから構成されることを特徴とする美顔育毛器。
【請求項７】
請求項１の美顔育毛器において、前記光源手段は異なるピーク波長を有する複数の単色レーザーダイオード光源と、前記単色レーザーダイオード光源から出射された各々の光の波長帯域を半値幅が１０ｎｍ 以下に絞るバンドバスフィルターとから構成されることを特徴とする美顔育毛器。
【請求項８】
請求項１の美顔育毛器において、前記光源手段は、半値幅が１０ｎｍ 以下の超狭帯域の単色光を照射し得る単色レーザーダイオード光源またはレーザー光源であることを特徴とする美顔育毛器。
【請求項９】
前記拡散手段は、シリンドリカルレンズ、拡散板若しくは拡散レンズの中から１つ或いは２つ以上用いたものであることを特徴とする請求項１に記載の美顔育毛器。
【請求項１０】
請求項１乃至８の何れかの美顔育毛器と、頭部の脱毛部位の皮膚若しくは肌や顔の一部の皮膚を覆う無色透明のシリコン薄膜と、該シリコン薄膜と皮膚表面との間に有効成分を含有するジェルを塗布してイオン導入を行うイオン導入手段と、を備え、
前記イオン導入手段を用いて有効成分を皮膚下に浸透させた状態で、前記シリコン薄膜の上部から前記美顔育毛器を用いて半値幅が１０ｎｍ 以下の超狭帯域の単色光を照射することにより、皮膚及び皮膚下の細胞を活性化させ得ることを特徴とする美顔育毛システム。
【請求項１１】
請求項１乃至８の何れかの美顔育毛器と、頭部の脱毛部位の皮膚若しくは肌や顔の一部の皮膚を覆う無色透明のシリコン薄膜と、該シリコン薄膜と皮膚表面との間に有効成分を含有するジェルを塗布してイオン導入を行うイオン導入手段と、前記シリコン薄膜を超音波振動させる超音波導入手段と、を備え、
前記イオン導入手段および超音波導入手段を用いて有効成分を皮膚下に浸透させた状態で、前記シリコン薄膜の上部から前記美顔育毛器を用いて半値幅が１０ｎｍ 以下の超狭帯域の単色光を照射することにより、皮膚及び皮膚下の細胞を活性化させ得ることを特徴とする美顔育毛システム。
【請求項１２】
前記シリコン薄膜は、薄膜成型時に金、銀、プラチナ、パラジウムの群から選択された少なくとも１種の微粒子が混入されていることを特徴とする請求項１０又は１１に記載の美顔育毛システム。
【請求項１３】
前記シリコン薄膜は、人顔の表面形状であって、目，鼻および口の部分に相当する部位に開口部がある形状に成型されたものと、鼻に相当する部位の開口部を覆う略台形のものとからなることを特徴とする請求項１０又は１１に記載の美顔育毛システム。
【発明の詳細な説明】
【技術分野】
【０００１】
本発明は、肌、皮膚に光を照射する美顔育毛器であって、所望の波長帯の光を照射することのできる美顔育毛器に関するもので、特に、超狭帯域の単色光を照射し、そのピーク波長を究極的に無段階に近い調節可能な美顔育毛器および美顔育毛システムに関する。
【背景技術】
【０００２】
従来、赤外および紫外の波長域を除く可視光域の光を顔の皮膚に照射する光美顔器では、ハロゲンランプに特定波長光だけを透過させるフィルターをつけることによって、可視光域の光を照射するものであった。また、他の光美顔器においては、単色ＬＥＤ（Light Emitting Diode）を組み合わせて所望の波長帯域の励起光を皮膚に照射するものが知られている（特許文献１）。【０００３】
また、米国ＦＤＡから唯一認可されたという育毛用のレーザー（商品名”Ｒｅｖａｇｅ６７０”）が知られている（非特許文献１参照）。これは、６７０ｎｍの波長の赤色レーザーダイオードを複数個並べて、走査しながら皮膚に照射することで、休止期にある毛包を成長期に誘導させるというものである。
しかしながら、上記赤色レーザーダイオードを複数個並べて、走査しながら皮膚に照射するものでは、一度に患部全体に照射させることができないという大きな問題がある。【０００４】
本発明者は、上記の光美顔器の効能を確かめる中で、照射光の波長幅が狭く単色性に優れたものが美顔育毛に優れた効能を有する知見を得た。そして、実際に照射光の波長幅が狭く単色性に優れた単色光の照射装置を複数準備し、その効能を確かめることとした。最終目標は、美顔育毛効果には個人差があることに鑑み、最適な波長帯の単色光を照射できるように、波長幅が狭く単色性に優れた単色光のピーク波長を無段階に調節することが可能な美顔育毛器を製作することである。【０００５】
先ず、ランプ光源の光をフィルターで波長をカットし波長幅が狭い単色光を取り出す手段について検討を行った。これは、キセノンランプやハロゲンランプなど、紫外光域から赤外光域までブロードな波長成分を含んだ白色光を、バンドパスフィルターなどで必要な波長だけ透過させて照射させるものである。しかし、この手段は次に述べる問題がある。すなわち、単色性は使用するフィルター特性に依存すること、単色性を良くするため透過し得るバンド幅の狭いフィルターを選択するほど透過率が低下すること、必要な波長分だけフィルターが必要なこと、が問題として挙げられる。【０００６】
また、ランプ光源の光を分光器で分光する手段について検討を行った。これは、キセノンランプやハロゲンランプなど、紫外光域から赤外光域までブロードな波長成分を含んだ白色光を、分光器内蔵のグレーティングで分光する方法である。グレーティングの角度を変化させることにより、プリズムの如く光が分けられるものである。単色光の切替は、分光器のスリット幅の調整で行え、また、単色性を下げることにより光量を得るなどの調整も可能である。しかし、グレーティングで分光するため、グレーティングで分光されて分光器スリットを通過して出る単色光は、非常に弱くなる。【０００７】
また、皮膚に必要不可欠なものとしてビタミンＡ／Ｃ／Ｅなどが知られており、健全な皮膚を維持するために、これらビタミン類を効率よく皮膚の深部へ浸透させる技術が研究されている。
代表的なものとしては、従来から、美肌器や美顔器として超音波振動エネルギーを皮膚に与えるものや、イオン導入を利用し薬効成分を効率よく皮膚内に吸収させる技術などが用いられてきた。イオン導入を利用した美肌・美顔技術も、通常の外用塗布ではあまり皮膚に吸収されない水溶性のビタミン類等をイオン化させて、電流を用いて皮膚に浸透させるものである。また、超音波振動を用いた美肌・美顔技術は、高分子の油溶性や水溶性の成分を導入可能としたものである。【０００８】
一方、老化やストレス、遺伝、病気等で、頭部の毛髪が少ない症状がある患者に対して、有効に頭部等の皮膚及び皮膚下の細胞を活性化し育毛・発毛を促進する方法が求められている（例えば、特許文献２、特許文献３を参照。）。種々の薬剤液が市販されており、また、ブラシなどで頭部を叩いて刺激を与える方法が知られている。しかしながら、現状の技術では、有効に育毛・発毛を促進する方法が見当たらないというのが実状である。【０００９】
以上の様々な検討を行い、以下に述べるような構成の装置を製作し、その効能を確認したものである。【００１０】
【特許文献１】特開２００５−０００２７６号公報
【特許文献２】特開２００１−２５９０４５号公報
【特許文献３】特開２００５−２４５５２１号公報
【非特許文献１】http://apirascience.com/ REVAGE670 PROVEN LASER HAIR REJUVENATION
【発明の開示】
【発明が解決しようとする課題】
【００１１】
本発明は、半値幅が１０ｎｍ 以下の超狭帯域の単色光を広範囲の面積に照射し、また、そのピーク波長を究極的に無段階に近い調節できる美顔育毛器を提供することを目的とする。【００１２】
また本発明は、老化やストレス、遺伝、病気等で、頭部他の毛髪が少ない患者に対して、頭部等の皮膚及び皮膚下の細胞を活性化して育毛・発毛を促進したり、美肌・美顔を行うための美顔育毛システムを提供することを目的とする。
【課題を解決するための手段】
【００１３】
本発明者は医師であり、美容皮膚科治療、育毛・増毛及び脱毛の予防に関する情報の提供及びコンサルティングを業として行っている。かかる業務を通じて、長時間使用しても皮膚にトラブルを発生しない、安全で、かつ充分な効果を短時間で得られる美肌方法、育毛・増毛方法を鋭意検討し続けてきた。そして、本発明者は、様々な試作を行い、実際に自己の経営する美容クリニックにおいて効果を確認し、本発明を完成するに至ったものである。【００１４】
上記目的を達成するため、本発明の第１の観点の美顔育毛器は、半値幅が１０ｎｍ 以下の超狭帯域の単色光を出射し得る光源手段と、該光源手段から出射された超狭帯域の単色光を拡散させ照射面積を増大させ得る拡散手段を備えたことを特徴とする。
半値幅が１０ｎｍ 以下の超狭帯域の単色光を患部に照射することで、同じ光量の近似する波長域の光よりも強い作用を得られることができる。すなわち、選択した超狭帯域の光本来の特質をそのまま美容に活用することができる。
半値幅が１０ｎｍ 以下の超狭帯域の単色光を患部に照射することで、光源の光の干渉を著しく低減させ、その単色光本来の有する作用効果を皮膚及び皮膚下の細胞に与えることができる。【００１５】
また、上述した米国ＦＤＡ認可をうけた赤色レーザーの場合は、患部に点で照射し、照射箇所を２次元に走査するのに対して、本発明は拡散手段を用いて患部に対して同時に面の形で照射することができる。これにより、同時に広範囲の面での照射ができ最短時間で治療が可能となる。すなわち、本発明の場合は、一箇所の皮膚細胞においてトータルの照射時間が長くなり、光を効果的にあてることになり、極めて高い有効率を得ることができるのである。
また、エネルギーの強いレーザー光のような光を皮膚に照射するのではなく、エネルギーが弱い単色光を照射することにより、波長に由来する美顔作用や育毛作用が顕著に現れることになるのである。【００１６】
次に、本発明の第２の観点の美顔育毛器は、上記の第１の観点の美顔育毛器において、単色光のピーク波長を可変とし得るピーク波長可変手段を更に備えたことを特徴とする。
かかる構成によれば、波長に応じた独特の生体作用の治療効果を得ることが可能となる。【００１７】
ピーク波長可変手段としては、例えば、光パラメトリック発信器である。具体的に例を挙げると、フラッシュランプ励起のＮｄ：ＹＡＧレーザー光源から照射された光を、光パラメトリック発信器（例えば、ＬＯＴＩＳ  ＴＩＩ社のブロードバンドＯＰＯのＬＴ−２２１４型を使用）結晶に入射させることにより、波長を連続で可変させることができる。
また他の例として、株式会社正興電機製作所製のＲａｉｎｂｏｗ  Ｌａｓｅｒを用いて、波長を連続で可変させることができる。この他、ＤＲＩＥＬ社の製品ＬＵＭＩＮＡＴＯＲ（登録商標）が波長を可変する手段として用いることができる。
ピーク波長可変手段を用いて単色光のピーク波長を連続可変とすることにより、人と症状に応じて、ベストな治療を確立していくことが可能となるのである。
究極的には、ピーク波長をシフト可能な無段階調節するのである。【００１８】
ここで、上記の第２の観点の美顔育毛器におけるピーク波長可変手段は、単色光のピーク波長を赤色ないし橙色の波長領域で可変とし得ることが好ましい。赤色ないし橙色の波長領域の光を照射することにより、皮膚表面を温める作用がある。また、赤色ないし橙色の波長領域の光を照射することにより、繊維芽細胞を増成しコラーゲンを増大させることができる。【００１９】
また、上記の第２の観点の美顔育毛器におけるピーク波長可変手段は、単色光のピーク波長を緑色の波長領域で可変とし得ることが好ましい。【００２０】
また、上記の第２の観点の美顔育毛器におけるピーク波長可変手段は、単色光のピーク波長を青色の波長領域で可変とし得ることが好ましい。青色の波長領域を用いることで、殺菌作用による活性化にきびの治療に効果的に作用できる。これら各波長の役割は今後の研究によって明らかになってくる。【００２１】
また、上記の第１の観点の美顔育毛器において、上記の光源手段は異なるピーク波長を有する複数の単色発光ダイオード光源と、上記の単色発光ダイオード光源から出射された各々の光の波長帯域を半値幅が１０ｎｍ 以下に絞るバンドバスフィルターとから構成されることを特徴とする。【００２２】
ここで、単色発光ダイオード（ＬＥＤ）光源は、青色、青緑色、緑色、黄色、橙色、赤色の中から少なくとも１つ選択された可視光を照射できるものである。単色ＬＥＤ光源は、赤色、青色、緑色の３色ＬＥＤでもよく、更に他の色のＬＥＤの組合せでもかまわない。ただし、好ましくは、強い強度で特定波長域の光を得ることができる単色ＬＥＤの組合せが良い。【００２３】
また、上記の第１の観点の美顔育毛器において、上記の光源手段は異なるピーク波長を有する複数の単色レーザーダイオード光源と、上記の単色レーザーダイオード光源から出射された各々の光の波長帯域を半値幅が１０ｎｍ 以下に絞るバンドバスフィルターとから構成されることを特徴とする。【００２４】
また、上記の第１の観点の美顔育毛器において、上記の光源手段は、半値幅が１０ｎｍ 以下の超狭帯域の単色光を照射し得る単色レーザーダイオード光源またはレーザー光源であることを特徴とする。【００２５】
ここで、上記の第１の観点の美顔育毛器における拡散手段は、具体的には、シリンドリカルレンズ、拡散板若しくは拡散レンズの中から１つ或いは２つ以上用いたものである。
単色ＬＥＤ光源の場合は、光量の減衰を最小限に抑える観点から拡散レンズが好適である。また、単色レーザーダイオード光源の場合は、指向性が強い光を大面積に拡散させるといった観点から、シリンドリカルレンズ、拡散板若しくは拡散レンズの中から１つ或いは２つ以上用いたものが好適である。【００２６】
また、レーザー光源およびレーザーダイオード光源の場合、光源から放射された光が超狭帯域の光である。しかし、そのままでは指向性が強く、頭皮や顔などの大面積に照射することができない。よって、拡散手段により光源から出射された光を拡散して大面積の頭皮や顔などに照射する。特に、レーザー光源を用いた場合は、エネルギーが強く、そのまま皮膚に当てるとエネルギーの熱によって皮膚が損傷してしまうことがある。拡散させることにより充分にエネルギーを弱めることにしている。
但し、レーザーダイオードで超狭帯域でないものは、バンドパスフィルターを用いて、半値幅が１０ｎｍ以下の超狭帯域と変えることとしている。【００２７】
ここで、シリンドリカルレンズを拡散手段に用いる場合は、２枚のシリンドリカルレンズを各々のレンズが直交する方向に配置して使用する。通常、シリンドリカルレンズは、一方向のみの倍率調整が必要な用途に使われ、一方向に結像するだけであるが球面レンズと同じ結像公式が成立するため、１枚目のシリンドリカルレンズでビームを一方向についてコリメートし、それから２枚目のシリンドリカルレンズでそれと直交する方向についてもコリメートして使用する。
なお、シリンドリカルレンズに、さらに拡散レンズ、拡散板などを併用してもかまわない。【００２８】
次に、本発明の第１の観点の美顔育毛システムは、上述した美顔育毛器と、頭部の脱毛部位の皮膚若しくは肌や顔の一部の皮膚を覆う無色透明のシリコン薄膜と、該シリコン薄膜と皮膚表面との間に有効成分を含有するジェルを塗布してイオン導入を行うイオン導入手段と、を備え、イオン導入手段を用いて有効成分を皮膚下に浸透させた状態で、シリコン薄膜の上部から美顔育毛器を用いて、半値幅が１０ｎｍ 以下の超狭帯域の単色光を照射することにより、皮膚及び皮膚下の細胞を活性化させ得ることを特徴とする。【００２９】
上記構成によれば、通常エステ業界にて実施されているイオン導入に加えて、当該部位を無色透明のシリコン薄膜で覆い、半値幅が１０ｎｍ 以下の超狭帯域の単色光の可視光線を照射しながら、頭部その他の皮膚の細胞を活性化し育毛・発毛を促進できる。【００３０】
また、無色透明のシリコン薄膜を用いるのは、薄膜上方から本発明の美顔育毛器で可視光を照射できるようにするためである。【００３１】
次に、本発明の第２の観点の美顔育毛システムは、上述した美顔育毛器と、頭部の脱毛部位の皮膚若しくは肌や顔の一部の皮膚を覆う無色透明のシリコン薄膜と、該シリコン薄膜と皮膚表面との間に有効成分を含有するジェルを塗布してイオン導入を行うイオン導入手段と、シリコン薄膜を超音波振動させる超音波導入手段を備え、イオン導入手段および超音波導入手段を用いて有効成分を皮膚下に浸透させた状態で、シリコン薄膜の上部から美顔育毛器を用いて、半値幅が１０ｎｍ 以下の超狭帯域の単色光を照射することにより、皮膚及び皮膚下の細胞を活性化させ得ることを特徴とする。【００３２】
上記構成によれば、イオン導入と超音波導入を同時に行うことができるので、効率的に皮膚の中に有効成分を導入吸収させて、治療時間を短縮させることができる。なお、超音波振動をイオン導入の前工程または後工程で行ってもかなわない。この場合、治療時間の短縮はないが、同様に効率的に皮膚の中に有効成分を導入吸収させることができる。【００３３】
ここで、上記シリコン薄膜は、薄膜成型時に金、銀、プラチナ、パラジウムの群から選択された少なくとも１種の微粒子が混入されていることが好ましい。【００３４】
また、上記シリコン薄膜は、人顔の表面形状であって、目，鼻および口の部分に相当する部位に開口部がある形状に成型されたものと、鼻に相当する部位の開口部を覆う略台形のものとからなることが好適である。
【発明の効果】
【００３５】
本発明の美顔育毛器によれば、光源の光の干渉を著しく低減させ、単色ＬＥＤ光源そのものの波長域でピーク波長付近の狭帯域の光のみを取り出し利用することで、同じ光量でも似た波長域の光よりも強い作用を得られることができるといった効果がある。すなわち、選択した狭帯域の光本来の特質をそのまま美容に活用することができるのである。【００３６】
また、本発明の美顔育毛器によれば、半値幅が１０ｎｍ 以下の狭帯域の単色光（可視光範囲）について、究極的に無段階に近い調節を可能とする。少しずつピーク波長がずれた単色ＬＥＤ光源を備えることによって、切替えの段数は増えていき、可視光帯域でピーク波長がある場合には、光の強度は十分に確保でき、選択可能な狭帯域の種類が増え、各々の超狭帯域での可視光線の特質を最大限に利用できることになる。【００３７】
本発明の美顔育毛システムによれば、通常実施されるイオン導入に加えて、波長帯の絞られた半値幅が１０ｎｍ 以下の超狭帯域の可視光照射を行い、頭皮や顔の皮膚及び皮膚下の細胞を活性化し、育毛・発毛を促進でき、若しくは美肌・美顔効果がある。
【発明を実施するための最良の形態】
【００３８】
以下、本発明に係る美顔育毛器の具体的な実施形態について、図面を参照しながら説明していく。
【実施例１】
【００３９】
図１は、実施例１の形態による美顔育毛器の構成図を示している。実施例１の美顔育毛器は、下表１に示すピーク波長と半値幅特性を有する３つの単色ＬＥＤ光源７（赤色ＬＥＤ光源，青色ＬＥＤ光源，緑色ＬＥＤ光源のいずれか）と、単色ＬＥＤ光源７から出射された各々の光の波長帯域を絞るバンドバスフィルター１３と、バンドバスフィルター１３を透過した半値幅が１０ｎｍの超狭帯域の光を拡散する拡散レンズ１２から構成されている。【００４０】
ここで、単色ＬＥＤ光源７としては、例えば、株式会社イマック製の平行光ＬＥＤ光源ＩＢＦ−ＬＳを用いることができる。単色ＬＥＤ光源７から照射される光は、超遠投な指向性のある光である。光径としては略５ｃｍであり、この光を拡散レンズ１２を介して拡散させている。【００４１】
【表１】
2008084764.tif 000003
【００４２】
これらの光源を表１に示す使用個数分を組み合わせ、実施例１の美顔育毛器の照射ユニットを構成する。図２に実施例１の美顔育毛器の照射ユニットのＬＥＤ光源の配置構成図を示す。
図２に示されるように、赤色ＬＥＤ、青色ＬＥＤ、緑色ＬＥＤの各種類の光源が配置されており、３個の赤色ＬＥＤが連続して中央に配置され、その周囲を４個の青色ＬＥＤおよび４個の緑色ＬＥＤで取り囲むように配置されている。具体的には、中央の３個の赤色ＬＥＤを挟んで、左右にそれぞれ２個の青色ＬＥＤおよび緑色ＬＥＤがあり、青色ＬＥＤおよび緑色ＬＥＤが互いに対向するように、かつ、交互に配置されている。また、青色ＬＥＤおよび緑色ＬＥＤの光軸は、それぞれ中央へ傾けており、全ＬＥＤがある領域に照射されるように調整している。【００４３】
次に、実施例１の美顔育毛器において、半値幅１０ｎｍの超狭帯域の光を拡散させて頭皮に照射した場合の美顔効果を、写真などのデータを示しながら説明する。
実験は、５１才の男性の左顔側に対して、実施例１の美顔育毛器を使用した。
使用前と使用後の顔写真を図３−１〜図３−８に示す。なお、図３−２，図３−４，図３−６，図３−８は、美顔育毛器の効果を示すために、写真の両眼の目じりの外側の先端２点を結ぶ直線と、口唇の外側の先端２点を結ぶ直線を図中に描いている。
また、図４は、顔の左顔側に対して実施例１の美顔育毛器を使用している様子を示すものである。【００４４】
実験の手順とその経過を示す写真との対応は以下の通りである。
（１）１日目（２００７年１月６日）
１回目ＬＥＤ照射前に、顔の写真を撮影したものを図３−１と図３−２に示す。図３−２を観察すると、写真の両眼の目じりの外側の先端２点を結ぶ直線と、口唇の外側の先端２点を結ぶ直線が、平行直線となっていることから、左顔側と右顔側に差が見られていないことが確認できる。
１日目は、以下の手順で実施例１の美顔育毛器を使用した。
・顔左側のみを赤色ＬＥＤ光源で１０分間照射した。
・顔左側のみを緑色ＬＥＤ光源で１０分間照射した。【００４５】
１回目のＬＥＤ照射後に、顔の写真を撮影したものを図３−３と図３−４に示す。残念ながら少しピンボケ状態となっているものの、図３−３と図３−４から１回目のＬＥＤ照射後の顔写真は、１回目ＬＥＤ照射前と比べて、左眼外側はやや下方へ下垂し、口唇左側はやや挙上していることがわかる。このことは、図３−４を観察すると、写真の両眼の目じりの外側の先端２点を結ぶ直線が右下がりの直線となっており、口唇の外側の先端２点を結ぶ直線が右上がりの直線となっていることからもわかる。従って、上記照射により、顔左側のみ強いひきしめ効果が現れていることが理解できる。【００４６】
（２）２日目（２００７年１月７日）
１日目の照射後、２４時間経過後の２回目ＬＥＤ照射前に、顔の写真を撮影したものを図３−５と図３−６に示す。図３−５と図３−６から１日目のひきしめ効果が残っていることが理解できる。
２日目は、以下の手順で実施例３の美顔育毛器を使用した。
・顔左側のみ赤色ＬＥＤ光源で１０分間照射した。
・顔左側のみ緑色ＬＥＤ光源で１０分間照射した。【００４７】
２回目のＬＥＤ照射後に、顔の写真を撮影したものを図３−７と図３−８に示す。図３−７と図３−８から２回目ＬＥＤ照射後は、左眼外側は、さらに下方へ下垂し、口唇左側は挙上していることがわかる。このことは、図３−８を観察すると、写真の両眼の目じりの外側の先端２点を結ぶ直線が右下がりの直線となっており、口唇の外側の先端２点を結ぶ直線が右上がりの直線となっていることからもわかる。従って、上記照射により、顔左側のみ非常に強いひきしめ効果が現れていることが理解できる。【００４８】
次に、実施例１の美顔育毛器において、半値幅１０ｎｍの超狭帯域の光を拡散させて頭皮に照射した場合の発毛効果を、写真などのデータを示しながら説明する。
ここでは、狭帯域のスペクトルを持つ光の照射が生体細胞の活性化に強い影響を与えることを確認するために、赤緑青の狭帯域光の発毛効果を確認している。対象として、照射の回数が週平均1回以上で、３ヶ月以上照射しえた頭皮の薄毛を認める２９才から５９才（平均年齢４８．１才）の１１名の男性モニターを準備した。【００４９】
実験方法としては、赤緑青３色の高輝度ＬＥＤを平行光とし、さらにバンドパスフィルターと拡散レンズを用い、半値幅１０ｎｍの狭帯域スペクトルをもつ光を照射できる装置を開発した。光量の関係から赤の光源ユニットは３個、緑と青は４個とし、これら１１個の光源ユニットを光軸をやや中央寄りにして平面上に配列した。そして、モニターの頭皮から約１０ｃｍの距離で赤緑青の順に各色７分、計２１分間光を照射した。照射の回数は週１〜３回（平均週１回以上）で、期間は３〜８ヶ月である。モニターは育毛剤の使用や毛穴の詰まりを取り除く等の特別な処置は一切せず、日常生活は普段通りとした。効果判定はＭ字部分の薄毛については除外することとした。
効果判定は下記表２の基準１）〜３）で行っている。【００５０】
【表２】
2008084764.tif 000004
【００５１】
モニター男性１〜モニター男性１１における育毛の推移結果は下記表３の通りである。【００５２】
【表３】
2008084764.tif 000005
【００５３】
また、上記モニター男性４に対して、単色ＬＥＤの組み合わせただけの、狭帯域光を出射しない従来機器を用いて育毛の作用効果について調べた結果の様子を図６に示す。但し、この作用効果の実験は、モニター男性４が上記表２の実験の約１年前の薄毛の状態の頃（図５−４（ａ）に示す写真の約１年前）に行ったものである。図６（ａ）は従来機器の使用前の状態であり、図６（ｂ）は１２週３１回照射後の状態である。図６（ａ），（ｂ）から、単色ＬＥＤの組み合わせた従来機器を用いた場合には、明らかな変化は見られなかったことが確認できる。これにより狭帯域光の強い効果が示唆される。【００５４】
週１回以上照射したものについては、有効率が１００％であり、うち２名（モニター１と２）が治癒した。８名が著効、１名が有効（モニター９）である。
上記の結果、１１名すべてに発毛を認め、有効率は１００％、著効以上は９／１１、治癒２／１１であった。効果の出方は順に、抜け毛の減少、毛髪のしっかり感と直毛化の出現、うずの復活と明らかな発毛（うぶ毛や細い軟毛からしっかりとした毛髪への著明な変化）という経過をとる例が多かった。また、Ｍ字部分の薄毛に対しては効果が乏しかった。上記の１１例の全例について、２〜３ヶ月以内で目視による効果が確認できた。【００５５】
このことから、実施例１の美顔育毛器を用いて可視光領域の狭帯域光照射により、強力な発毛作用が確認され、狭帯域光は生体細胞に対し強い活性化をもたらすことが示された。
また、実施例１の美顔育毛器による狭帯域光の顔への照射により強い引き締め効果、しわやくまの軽減、化粧のりの著明な改善等も確認されており、狭帯域光照射は発毛治療や美顔施術等において大きな役割を果たしていくことがわかる。
また、赤色は繊維芽細胞の増生、青色はニキビへの殺菌効果などの作用がいわれているが、波長ごとの生体細胞等に対する作用の詳細な解明が待たれる。今後各波長の作用が解明されてくれば、発毛や美顔さらには他の皮膚科領域を中心とする疾患に対する、より効果的な波長や複数の波長の光を順に当てる優れた組合せ療法も明らかになってくるであろう。【００５６】
上記をまとめると、先ず、可視光線は各波長それぞれに生体細胞等に固有の作用があり、波長のずれとともにその作用は徐々に変化していくといえる。
また、波長がずれるほどそれらの波長同士はそれぞれの生体細胞等に対する作用を打ち消しあう可能性がいえる。
さらに、光量が一定であれば、より半値幅の小さい（波長域の幅の狭い）狭帯域光ほどその中心波長固有の作用は強く作用するといえる。
【実施例２】
【００５７】
図７は、本美顔育毛器の使用イメージ図を示している。図７は顔に美顔育毛器１を使用する場合であるが、頭皮に使用する場合は、頭皮に特定波長帯の可視光線２０を照射させる。【００５８】
図８は、実施例２の形態による美顔育毛器の構成図を示している。実施例２の美顔育毛器は、基板に配設された複数の単色ＬＥＤ光源を有する単色ＬＥＤ光源ユニット２と、その各々の単色ＬＥＤ光源から出射される単色光を一つに束ねるように光を導く導光路３（具体的には、光ファイバーを束ねたものを使用している）と、導光路３から出射する光を分光する分光器４と、分光器４の前方に配置された拡散レンズ５で構成されている。
拡散レンズ５は、凹レンズなどで構成され、顔などの照射部位に適度な大きさで照射するために、光を拡散させるものである。
【実施例３】
【００５９】
図９は、実施例３の形態による美顔育毛器の構成図を示している。実施例３の美顔育毛器は、基板に配設された複数の単色ＬＥＤ光源を有する単色ＬＥＤ光源ユニット２と、各単色ＬＥＤ２の前方（光照射方向）に配置された集束レンズ１０と、集束レンズ１０の前方に配置されたスリット１１と、スリット１１の前方に配置された拡散レンズ１２を備えている。【００６０】
ここで、集束レンズ１０は、凸レンズを組み合わせて構成され、前方のスリット１１に入射する光を集束させるためのものである。また、拡散レンズ１２は、凹レンズなどで構成され、顔などの照射部位に適度な大きさで照射するために、光を拡散させるものである。また、単色ＬＥＤ２は、図９中、マトリックス状に、左右方向および紙面に垂直な方向に二次元状に所定ピッチで複数個配設されると共に、それらはいずれも互いに平行に図中左方向に光を出射しうるように配置されている。【００６１】
スリット１１は、単色ＬＥＤ光源と同一ピッチで形成されており、各スリット１１のスリット幅（上記分散方向の幅）は同一とされている。その結果、すべてのスリット１１を同一の波長帯域の光が通過する。
スリット１１は、駆動手段（図示しない）により照射方向および照射方向に垂直な方向に移動可能に構成されている。そして、スリット１１を照射方向に移動させると、該移動に伴いスリット１１の対応するスペクトル位置が変化するため、中心波長の異なる波長帯域の分散光がスリット１１を通過することになり、これによって照射する光の波長帯域（中心波長）を更にシャープに選択することができる。
【実施例４】
【００６２】
図１０に、実施例４の美顔育毛システムのシステム構成図を示す。イオン導入手段として、市販のイオン導入装置１を用いている。無色透明のシリコン薄膜２は、透明度が極めて高い工業用シリコンを用い、シリコン薄膜成型時に金微粒子が混入されたものを用いている。無色透明のシリコン薄膜２は、屈曲性に優れ、人の頭部４にかぶせた場合に、頭部の形状に合うように、また、頭部を押さえ込むようにフィットすることができる。【００６３】
この無色透明のシリコン薄膜２は、頭部全体をカバーできるものであっても、頭部の一部をカバーできるものであってもよい。症状によってカバーできる部位の調節は可能なものである。【００６４】
手順としては、頭部の育毛を促進させたい部位に、発毛用の有効成分を含む液若しくはジェルを塗布し、その上から無色透明のシリコン薄膜２をかぶせる。そして、イオン導入装置１の分極コードについているマウスクリップで、無色透明のシリコン薄膜２の四隅を挟み込み、他極を腕等に接触させる。無色透明のシリコン薄膜２の下のジェル等がイオン導入装置１のイオン導入電極の１極として機能する。【００６５】
また、その状態で頭部の上方から、上述した実施例１の美顔育毛器１を用いて可視光５３を照射する。美顔育毛器１は、半値幅が１０ｎｍ 以下の超狭帯域の単色光を出射し、拡散レンズで頭部の照射面積にまで光を拡散する。
【実施例５】
【００６６】
図１１は、金微粒子６２が混入されたシリコン薄膜で成型されたマスク６０と鼻の部位を覆う台形状のシリコン薄膜を示している。シリコン薄膜は、透明度が極めて高い工業用シリコンを用いている。また、シリコン薄膜の成型時に混入する金微粒子６２には、純金梨地粉を用いている。図１１に示すように、マスク６０は人顔の鼻と口に相当する部位は穴をあけて開口させて、被験者の呼吸の不都合を避けている。
【産業上の利用可能性】
【００６７】
本発明に係る美顔育毛器は、種々の化粧水や美容液と組み合わせて使用したり、イオン導入法や超音波導入法と組み合わせる以外に、遠赤外線照射やマイナスイオン照射と組み合わせて使用したり、また、パルス静電磁場と併用することとしたりして、頭部の育毛促進、美肌、美顔など医療やエステティック産業に利用できる。
また、本発明に係る美顔育毛器による効能を、植物などの農産物成長促進や家畜などの生体成長に利用することも可能である。【００６８】
本発明に係る美顔育毛システムは、老化や病気等で、頭部の毛髪が少ない症状がある患者に対して、有効に頭部等の皮膚及び皮膚下の細胞を活性化し育毛・発毛を促進できるため、頭部の育毛・発毛治療など病院・美容クリニック業界やかつら業界に有用である。
【図面の簡単な説明】
【００６９】
【図１】実施例１にかかる美顔育毛器の構成図。（ａ）は側面断面図で、（ｂ）は正面図である。
【図２】実施例１の美顔育毛器の照射ユニットのＬＥＤ光源の配置構成図
【図３−１】１回目のＬＥＤ照射前に撮影した顔写真
【図３−２】１回目のＬＥＤ照射前に撮影した顔写真（線を描いたもの）
【図３−３】１回目のＬＥＤ照射後に撮影した顔写真
【図３−４】１回目のＬＥＤ照射後に撮影した顔写真（線を描いたもの）
【図３−５】２回目のＬＥＤ照射前に撮影した顔写真
【図３−６】２回目のＬＥＤ照射前に撮影した顔写真（線を描いたもの）
【図３−７】２回目のＬＥＤ照射後に撮影した顔写真
【図３−８】２回目のＬＥＤ照射後に撮影した顔写真（線を描いたもの）
【図４】実施例１にかかる美顔育毛器の使用状態を示す写真
【図５−１】モニター男性１の育毛の推移説明図
【図５−２】モニター男性２の育毛の推移説明図
【図５−３】モニター男性３の育毛の推移説明図
【図５−４】モニター男性４の育毛の推移説明図
【図５−５】モニター男性５の育毛の推移説明図
【図５−６】モニター男性６の育毛の推移説明図
【図５−７】モニター男性７の育毛の推移説明図
【図５−８】モニター男性８の育毛の推移説明図
【図５−９】モニター男性９の育毛の推移説明図
【図５−１０】モニター男性１０の育毛の推移説明図
【図５−１１】モニター男性１１の育毛の推移説明図
【図６】従来機器を用いたモニター男性４の育毛の推移説明図
【図７】美顔育毛器の使用イメージ図
【図８】実施例２の美顔育毛器の構成図
【図９】実施例３の美顔育毛器の構成図
【図１０】実施例４の美顔・育毛システムのシステム構成図
【図１１】金微粒子が混入されたシリコンで成型されたマスク
【符号の説明】
【００７０】
１    美顔育毛器
２    単色ＬＥＤ光源ユニット
３    導光路
４    分光器
５    レンズ
６    回折格子
７    ＬＥＤ光源
１０  集束レンズ
１１  スリット
１２  拡散レンズ
１３  バンドパスフィルター
１４  信号・電源ケーブル
１５  筐体フレーム
１６  赤色ＬＥＤ光源
１７  青色ＬＥＤ光源
１８  緑色ＬＥＤ光源
２０  特定波長帯の可視光線
２１  人の顔
５１  イオン導入装置
５２  シリコン薄膜
５３  可視光線
５４  人の頭部
６０  マスク
６１  鼻の部位を覆うシリコン薄膜
６２  金微粒子
【図７】
2008084764.tif 000006
【図８】
2008084764.tif 000007
【図９】
2008084764.tif 000008
【図１０】
2008084764.tif 000009
【図１】
2008084764.tif 000010
【図２】
2008084764.tif 000011
【図３−１】
2008084764.tif 000012
【図３−２】
2008084764.tif 000013
【図３−３】
2008084764.tif 000014
【図３−４】
2008084764.tif 000015
【図３−５】
2008084764.tif 000016
【図３−６】
2008084764.tif 000017
【図３−７】
2008084764.tif 000018
【図３−８】
2008084764.tif 000019
【図４】
2008084764.tif 000020
【図５−１】
2008084764.tif 000021
【図５−２】
2008084764.tif 000022
【図５−３】
2008084764.tif 000023
【図５−４】
2008084764.tif 000024
【図５−５】
2008084764.tif 000025
【図５−６】
2008084764.tif 000026
【図５−７】
2008084764.tif 000027
【図５−８】
2008084764.tif 000028
【図５−９】
2008084764.tif 000029
【図５−１０】
2008084764.tif 000030
【図５−１１】
2008084764.tif 000031
【図６】
2008084764.tif 000032
【図１１】
2008084764.tif 000033
【国際調査報告】
2008084764.tif 000034
2008084764.tif 000035
2008084764.tif 000036
2008084764.tif 000037